(57)【要約】【課題】電力線を利用してオーディオ信号やビジュアル信号などの連続的に再生されるデータの送受信を行う装置間の同期を取るとともにデータの遅延を補償するデータ通信システム、データ再生装置及びデータ再生方法を提供する。【解決手段】データ送信装置から送信されるデータを受信するオーディオデータ受信部３１と、受信したデータを一時的に蓄積するデータバッファ３２と、蓄積されるデータ量を監視するデータ量監視部３３を有する。また、監視されるデータ量が所定範囲の閾値よりも「大きい」、「等しい」、「小さい」場合に、発振周波数を「増加」、「維持」、「減少」するように電気信号を出力する電圧制御発振器３４を有する。また、電気信号に応じてデータバッファ３２に蓄積されているデータを読み出してデジタル信号からアナログ信号に変換するＤ／Ａコンバータ３５と、変換されたデータを再生するオーディオデータ再生部３６を有する。【選択図】図１
2006101119.tif 000002
【特許請求の範囲】
【請求項１】
データ送信装置から電力線を介して送信されるデータをデータ再生装置で受信するデータ通信システムであって、
前記データ送信装置が、
前記データ再生装置に送信するアナログ信号を出力するデータ出力部と、
所定の発振周波数の電気信号を出力する基準発振器と、
前記基準発振器から出力される電気信号に基づいて、前記データ出力部から出力されるアナログ信号を、デジタル信号に変換するＡ／Ｄコンバータと、
前記Ａ／Ｄコンバータによりデジタル信号に変換されたデータを、電力線を介して前記データ再生装置に送信するデータ送信部を有し、
前記データ再生装置が、
前記データ送信装置から送信されるデータを受信するデータ受信部と、
前記データ受信部で受信したデータを一時的に蓄積するデータバッファと、
前記データバッファが蓄積しているデータのデータ量を監視するデータ量監視部と、
前記データ量監視部によって監視されるデータ量が、所定の閾値の範囲よりも大きい場合には発振周波数を大きくし、所定の閾値の範囲内にある場合には所定の発振周波数を維持し、所定の閾値の範囲よりも小さい場合には発振周波数を小さくするように電気信号を出力する電圧制御発振器と、
前記電圧制御発振器が出力する電気信号に応じて、前記データバッファに蓄積されているデータを読み出して、デジタル信号からアナログ信号に変換するＤ／Ａコンバータと、
前記Ｄ／Ａコンバータから出力されたデータを再生するデータ再生部を有する
ことを特徴とするデータ通信システム。
【請求項２】
データ送信装置から電力線を介して送信されるデータを受信するデータ再生装置であって、
前記データ送信装置から送信されるデータを受信するデータ受信部と、
前記データ受信部で受信したデータを一時的に蓄積するデータバッファと、
前記データバッファが蓄積しているデータのデータ量を監視するデータ量監視部と、
前記データ量監視部によって監視されるデータ量が、所定の閾値の範囲よりも大きい場合には発振周波数を大きくし、所定の閾値の範囲内にある場合には所定の発振周波数を維持し、所定の閾値の範囲よりも小さい場合には発振周波数を小さくするように電気信号を出力する電圧制御発振器と、
前記電圧制御発振器が出力する電気信号に応じて、前記データバッファに蓄積されているデータを読み出して、デジタル信号からアナログ信号に変換するＤ／Ａコンバータと、
前記Ｄ／Ａコンバータから出力されたデータを再生するデータ再生部と、
を有することを特徴とするデータ再生装置。
【請求項３】
データ送信装置から電力線を介して送信されるデータをデータ再生装置で受信して再生するデータ再生方法であって、
データ受信部が、前記データ送信装置から送信されるデータを受信する第１のステップと、
データバッファが、前記第１のステップで受信したデータを一時的に蓄積する第２のステップと、
データ量監視部が、前記第２のステップで前記データバッファが蓄積したデータ量を監視する第３のステップと、
電圧制御発振器が、前記第３のステップで前記データ量監視部が監視しているデータ量が、所定の閾値の範囲よりも大きい場合には発振周波数を大きくし、所定の閾値の範囲内にある場合には所定の発振周波数を維持し、所定の閾値の範囲よりも小さい場合には発振周波数を小さくするように電気信号を出力する第４のステップと、
Ｄ／Ａコンバータが、前記電圧制御発振器から出力される電気信号の発振周波数に応じて、前記データバッファに蓄積されているデータを読み出して、デジタル信号からアナログ信号に変換する第５のステップと、
再生部が、前記第５のステップでアナログ信号に変換されたデータの再生を行う第６のステップと、
を有することを特徴とするデータ再生方法。
【発明の詳細な説明】
【技術分野】
【０００１】
本発明は、オーディオ信号やビジュアル信号などの連続的なデータの送信・受信を行うデータ通信システム、データ再生装置及びデータ再生方法に関する。
【背景技術】
【０００２】
従来から、データ通信を行う際に、ネットワークの経路差に起因するデータ遅延が生じるのを防ぐ技術として、特許文献１に記載されている技術が知られている。
この技術は、パケット交換やＡＴＭ（Asynchronous Transfer Mode）ネットワークなどのデータ遅延のゆらぎが多く、送受信装置間のクロックの同期が確立しない通信環境において、ビジュアル信号などの伝送を行う際のデータ遅延を防止する方法に関するものである。
しかし、特許文献１に記載されている技術は、送信装置から伝送路を介して供給されるクロックを受信装置において受信することにより、各装置間の同期を取るものでり、電力線を利用することによりデータの送受信を行う電力線通信では利用できないという問題があった。
【特許文献１】特開２００２−３６８７２６号公報
【発明の開示】
【発明が解決しようとする課題】
【０００３】
本発明は、上記事情を考慮してなされたもので、その目的は、電力線を利用してオーディオ信号やビジュアル信号などの連続的に再生されるデータの送受信を行う装置間の同期を取るとともにデータの遅延を補償するデータ通信システム、データ再生装置及びデータ再生方法を提供することにある。
【課題を解決するための手段】
【０００４】
請求項１に記載の発明は、データ送信装置から電力線を介して送信されるデータをデータ再生装置で受信するデータ通信システムであって、前記データ送信装置が、前記データ再生装置に送信するアナログ信号を出力するデータ出力部と、所定の発振周波数の電気信号を出力する基準発振器と、前記基準発振器から出力される電気信号に基づいて、前記データ出力部から出力されるアナログ信号を、デジタル信号に変換するＡ／Ｄコンバータと、前記Ａ／Ｄコンバータによりデジタル信号に変換されたデータを、電力線を介して前記データ再生装置に送信するデータ送信部を有し、前記データ再生装置が、前記データ送信装置から送信されるデータを受信するデータ受信部と、前記データ受信部で受信したデータを一時的に蓄積するデータバッファと、前記データバッファが蓄積しているデータのデータ量を監視するデータ量監視部と、前記データ量監視部によって監視されるデータ量が、所定の閾値の範囲よりも大きい場合には発振周波数を大きくし、所定の閾値の範囲内にある場合には所定の発振周波数を維持し、所定の閾値の範囲よりも小さい場合には発振周波数を小さくするように電気信号を出力する電圧制御発振器と、前記電圧制御発振器が出力する電気信号に応じて、前記データバッファに蓄積されているデータを読み出して、デジタル信号からアナログ信号に変換するＤ／Ａコンバータと、前記Ｄ／Ａコンバータから出力されたデータを再生するデータ再生部を有することを特徴とするデータ通信システムである。
【０００５】
また、請求項２に記載の発明は、データ送信装置から電力線を介して送信されるデータを受信するデータ再生装置であって、前記データ送信装置から送信されるデータを受信するデータ受信部と、前記データ受信部で受信したデータを一時的に蓄積するデータバッファと、前記データバッファが蓄積しているデータのデータ量を監視するデータ量監視部と、前記データ量監視部によって監視されるデータ量が、所定の閾値の範囲よりも大きい場合には発振周波数を大きくし、所定の閾値の範囲内にある場合には所定の発振周波数を維持し、所定の閾値の範囲よりも小さい場合には発振周波数を小さくするように電気信号を出力する電圧制御発振器と、前記電圧制御発振器が出力する電気信号に応じて、前記データバッファに蓄積されているデータを読み出して、デジタル信号からアナログ信号に変換するＤ／Ａコンバータと、前記Ｄ／Ａコンバータから出力されたデータを再生するデータ再生部とを有することを特徴とするデータ再生装置である。
【０００６】
また、請求項３に記載の発明は、データ送信装置から電力線を介して送信されるデータをデータ再生装置で受信して再生するデータ再生方法であって、データ受信部が、前記データ送信装置から送信されるデータを受信する第１のステップと、データバッファが、前記第１のステップで受信したデータを一時的に蓄積する第２のステップと、データ量監視部が、前記第２のステップで前記データバッファが蓄積したデータ量を監視する第３のステップと、電圧制御発振器が、前記第３のステップで前記データ量監視部が監視しているデータ量が、所定の閾値の範囲よりも大きい場合には発振周波数を大きくし、所定の閾値の範囲内にある場合には所定の発振周波数を維持し、所定の閾値の範囲よりも小さい場合には発振周波数を小さくするように電気信号を出力する第４のステップと、Ｄ／Ａコンバータが、前記電圧制御発振器から出力される電気信号の発振周波数に応じて、前記データバッファに蓄積されているデータを読み出して、デジタル信号からアナログ信号に変換する第５のステップと、再生部が、前記第５のステップでアナログ信号に変換されたデータの再生を行う第６のステップとを有することを特徴とするデータ再生方法である。
【発明の効果】
【０００７】
本発明では、データ再生装置で受信したデータをデータバッファに一時的に蓄積し、そのデータバッファに蓄積されているデータのデータ量をデータ量監視部で監視することにより、データバッファに蓄積されるデータ量が増加した場合にはデータバッファから読み出すデータ量を増加させ、データバッファに蓄積されるデータ量が減少した場合にはデータバッファから読み出すデータ量を減少させるようにした。
このため、データ送信装置から電力線を介して送信されるオーディオ信号のデータを複数のデータ再生装置において再生する際に、それぞれのデータ再生装置間で同期を取らせることが可能となる。また、データバッファに蓄積されているデータが溢れてデータの一部が失われたり、データバッファに蓄積されているデータがなくなって再生するオーディオ信号等が途切れてしまうことを防止することができ、一定の速度と位相でデータを再生することが可能となる。
【発明を実施するための最良の形態】
【０００８】
以下、図面を参照し、本発明の実施形態によるデータ通信システム１０ついて説明する。
図２は、本発明の実施形態によるデータ通信システム１０の構成を示す図である。データ通信システム１０は、１台のオーディオ信号送信装置２と、２台のオーディオ再生装置３ａ、３ｂから構成されている。
オーディオ信号送信装置２と、オーディオ信号再生装置３ａ及び３ｂは、それぞれ電力線１に接続されている。電力線１からは、オーディオ信号送信装置２と、オーディオ信号再生装置３ａ及び３ｂに対して、それぞれの装置を駆動するための電力が供給される。
また、オーディオ信号送信装置２と、オーディオ信号再生装置３ａ及び３ｂの間では、電力線１を介してデータの送受信を行うことができるようになっている。
【０００９】
本実施形態では、オーディオ信号送信装置２から、オーディオ信号再生装置３ａ、３ｂに対してステレオ音声の左音声、右音声のオーディオ信号をそれぞれ送信して、オーディオ信号再生装置３ａでステレオ音声の左音声を再生し、オーディオ信号再生装置３ｂでステレオ音声の右音声を再生する場合について説明する。
なお、図２の説明では電力線１にオーディオ信号再生装置３が合計２台（３ａ、３ｂ）接続されている場合について説明しているが、これに限定されるものではない。例えば、ドルビー・サラウンドシステムを利用する場合に、電力線１にオーディオ信号再生装置３を３台以上接続して、それぞれのオーディオ信号再生装置から再生される音声等の同期を取らせることも可能である。
【００１０】
次に、図２のオーディオ信号送信装置２について説明する。
図３は、本実施形態によるオーディオ信号送信装置２の構成を示すブロック図である。
オーディオ信号送信装置２は、オーディオ信号出力部２１、Ａ／Ｄコンバータ２２、基準発振器２３、オーディオ信号送信部２４から構成される。
オーディオ信号出力部２１は、クラシック音楽などの連続的に再生されるオーディオ信号をＡ／Ｄコンバータ２２に対して出力する。
基準発振器２３は、所定の周波数で発振することにより、Ａ／Ｄコンバータ２２に対して所定の周期の電気信号を出力する。
【００１１】
Ａ／Ｄコンバータ２２は、オーディオ信号出力部２１から出力されるオーディオ信号を、基準発振器２３から出力される所定の周波数の電気信号に基づいて、アナログ信号からデジタル信号に変換する。Ａ／Ｄコンバータ２２において、デジタル信号に変換されたオーディオ信号は、オーディオ信号送信部２４に対して出力される。
オーディオ信号送信部２４は、Ａ／Ｄコンバータ２２から出力されたオーディオ信号を電力線１を介してオーディオ信号再生装置３ａ、３ｂ（図２）に対してそれぞれ送信する。
【００１２】
次に、図２のオーディオ信号再生装置３について説明する。
図１は、本実施形態によるオーディオ信号再生装置３の構成を示すブロック図である。
オーディオ信号再生装置３は、オーディオ信号受信部３１、データバッファ３２、データ量監視部３３、電圧制御発振器３４、Ｄ／Ａコンバータ３５、オーディオ信号再生部３６から構成される。
オーディオ信号受信部３１は、オーディオ信号送信装置２のオーディオ信号送信部２４（図３）から送信されるオーディオ信号を、電力線１を介して受信する。
【００１３】
より具体的には、オーディオ信号再生装置３ａ（図２）のオーディオ信号受信部は、ステレオ音声の左音声のオーディオ信号を受信し、オーディオ信号再生装置３ｂ（図２）のオーディオ信号受信部は、ステレオ音声の右音声のオーディオ信号を受信する。
オーディオ信号受信部３１は、受信したオーディオ信号をデータバッファ３２に対して出力する。
データバッファ３２は、オーディオ信号受信部３１から出力されたオーディオ信号を一時的に蓄積する。データバッファ３２に蓄積されたデータは、後述する電圧制御発振器３４の制御により、Ｄ／Ａコンバータ３５に対して出力される。
なお、データバッファ３２に蓄積されるデータが溢れてしまう場合には、一番最初にデータバッファ３２に蓄積されたデータを削除して、オーディオ信号受信部３１から新たに入力されるデータが蓄積される。また、データバッファ３２に蓄積されるデータが空になってしまう場合には、一番最後にデータバッファ３２に蓄積されたデータが繰り返し出力される。
【００１４】
データ量監視部３３は、データバッファ３２に蓄積されているオーディオ信号のデータ量を監視するとともに、データバッファ３２に蓄積されているデータ量に対応する電圧を電圧制御発振器３４に対して出力する。
本実施形態によるオーディオ信号再生装置３の電圧制御発振器３４には、所定の範囲の閾値ｋが記憶されている。データ量監視部３３が「データバッファ３２に蓄積されているオーディオ信号が所定の範囲の閾値ｋを上回っている」と判断した場合には、電圧制御発振器３４に印加する電圧を大きくすることにより出力する発振周波数を大きくして、データバッファ３２からＤ／Ａコンバータ３５に出力するオーディオ信号のデータ量を増大させる。このように制御することにより、データバッファ３２に蓄積するオーディオ信号が溢れてオーディオ信号が失われてしまうことを防止することができる。
【００１５】
また、データ量監視部３３が「データバッファ３２に蓄積されているオーディオ信号が所定の範囲の閾値ｋ内にある」と判断した場合には、電圧制御発振器３４に印加する電圧を所定の値に保つことにより、出力する発振周波数を一定にして、データバッファ３２からＤ／Ａコンバータ３５に出力するオーディオ信号のデータ量を一定に保つ。
一方、データ量監視部３３が「データバッファ３２に蓄積されているオーディオ信号が所定の範囲の閾値ｋを下回っている」と判断した場合には、電圧制御発振器３４に印加する電圧を小さくすることにより出力する発振周波数を小さくして、データバッファ３２からＤ／Ａコンバータ３５に出力するオーディオ信号のデータ量を減少させる。このように制御することにより、データバッファ３２に蓄積するオーディオ信号がなくなって音が途切れてしまうことを防止することができる。
【００１６】
Ｄ／Ａコンバータ３５は、データバッファ３２から出力されるオーディオ信号を、電圧制御発振器３４から出力される所定の発振周波数の電気信号に基づいて、デジタル信号からアナログ信号に変換する。Ｄ／Ａコンバータ３５において、アナログ信号に変換されたオーディオ信号は、オーディオ信号再生部３６に対して出力される。
オーディオ信号再生部３６では、Ｄ／Ａコンバータ３５から入力されたオーディオ信号をスピーカで再生する。
より具体的には、オーディオ信号再生装置３ａ（図２）のオーディオ信号再生部は、ステレオ音声の左音声のオーディオ信号を再生し、オーディオ信号再生装置３ｂ（図２）のオーディオ信号再生部は、ステレオ音声の右音声のオーディオ信号を再生する。
【００１７】
従来、オーディオ信号送信装置２とオーディオ信号再生装置３ａ、３ｂ間の電力線の伝送路の距離や品質には差があるためデータの伝送速度が変化したり、データ送信装置２から送信されるオーディオ信号のデータのパケットのタイミングや大きさが変化するため、オーディオ信号再生装置３ａ、３ｂでそれぞれ再生する音声に時間差が生じ、同期が取れないという問題があった。
しかし、上述したように、オーディオ信号再生装置３（３ａ、３ｂ）にデータの遅延を補償するデータバッファ３２を設けるようにしたため、オーディオ信号再生装置３ａ、３ｂ間で同期を取った状態で音声等を再生することが可能となる。
【００１８】
次に、本発明の実施形態によるデータ通信システム１０におけるオーディオ信号再生装置３のオーディオ信号再生方法について説明する。
図４は、本実施形態のオーディオ信号再生装置３におけるオーディオ信号再生方法の処理を示すフローチャートである。
始めに、オーディオ信号受信部３１が、オーディオ信号送信部２４（図３）から電力線１を介して送信されるオーディオ信号のパケットを受信する（ステップＳ０１）。
次に、ステップＳ０１でオーディオ信号受信部３１が受信したオーディオ信号のパケットがデータバッファ３２に一時的に蓄積される（ステップＳ０２）。
【００１９】
データバッファ３２に蓄積されるオーディオ信号のデータ量は、データ量監視部３３により監視されており、データバッファ３２に蓄積されているデータ量が所定の範囲の閾値ｋよりも「大きい」、「小さい」、「等しい」のいずれの状態にあるかが判断される（ステップＳ０３）。
データバッファ３２に蓄積されているデータ量が所定の範囲の閾値ｋよりも大きい場合には、ステップＳ０３において「大きい」と判断され、ステップＳ０４に進む。
【００２０】
ステップＳ０４では、電圧制御発振器３４に印加する電圧を大きくすることにより、電圧制御発振器３４から出力される発振周波数が大きくなるように制御される（ステップＳ０４）。
電圧制御発振器３４の発振周波数が大きくなると、データバッファ３２からより多くのオーディオ信号が読み出され、Ｄ／Ａコンバータ３５に対して出力される。
Ｄ／Ａコンバータ３５に入力されたオーディオ信号は、デジタル信号からアナログ信号に変換され、オーディオ信号再生部３６のスピーカで再生される。
【００２１】
次に、オーディオ信号再生装置３が全てのオーディオ信号を受信し終わったか否かが判断される（ステップＳ０５）。オーディオ信号再生装置３が、まだ全てのオーディオ信号を受信し終わっていない場合には、ステップＳ０５において「ＮＯ」と判断され、再度ステップＳ０１に進む。その後、前述したようにステップＳ０２の処理を経由してステップＳ０３に進む。
データバッファ３２に蓄積されているデータ量が所定の範囲の閾値ｋ内にある場合には、ステップＳ０３において「等しい」と判断され、ステップＳ０６に進む。
【００２２】
ステップＳ０６では、電圧制御発振器３４に所定の電圧を印加することにより、電圧制御発振器３４から出力される発振周波数を所定の値に保つように制御される。
電圧制御発振器３４の発振周波数を所定値に保つことにより、データバッファ３２から読み出されるオーディオ信号のデータ量を一定に保つことができる。
Ｄ／Ａコンバータ３５に入力されたオーディオ信号は、デジタル信号からアナログ信号に変換され、オーディオ信号再生部３６のスピーカで再生される。
【００２３】
次に、オーディオ信号再生装置３が全てのオーディオ信号を受信し終わったか否かが判断される（ステップＳ０５）。オーディオ信号再生装置３が、まだ全てのオーディオ信号を受信し終わっていない場合には、ステップＳ０５において「ＮＯ」と判断され、再度ステップＳ０１に進む。その後、前述したようにステップＳ０２の処理を経由してステップＳ０３に進む。
データバッファ３２に蓄積されているデータ量が所定の範囲の閾値ｋよりも小さい場合には、ステップＳ０３において「小さい」と判断され、ステップＳ０７に進む。
【００２４】
ステップＳ０７では、電圧制御発振器３４に印加する電圧を小さくすることにより、電圧制御発振器３４から出力される発振周波数が小さくなるように制御される。
電圧制御発振器３４から出力される発振周波数が小さくなると、データバッファ３２からより少ないオーディオ信号が読み出され、Ｄ／Ａコンバータ３６に対して出力される。
Ｄ／Ａコンバータ３５に入力されたオーディオ信号は、デジタル信号からアナログ信号に変換され、オーディオ信号再生部３６のスピーカで再生される。
次に、オーディオ信号再生装置３が全てのオーディオ信号を受信し終わったか否かが判断される（ステップＳ０５）。オーディオ信号再生装置３が、全てのオーディオ信号を受信し終わっている場合には、ステップＳ０５において「ＹＥＳ」と判断され、図４に示したフローチャートに従った処理を終了する。
【００２５】
上述した本発明の実施形態によるデータ通信システム１０によれば、電力線１に複数接続されているデータ再生装置３ａ、３ｂの相互間で同期を取る必要がなく、データ再生装置３の構成を簡略化することができる。
また、データ再生装置３ａ、３ｂ間でオーディオ信号の位相同期が行えるので、良好な音質の音響信号を再生することが可能となる。
また、データバッファ３２に蓄積されているデータ量を一定にするように制御するようにしたので、音とびが生じることを防止することができる。
また、オーディオ信号の符号化に伴った、タイミングやパケット長に関係なく、一定の速度と位相で音響信号を再生することができる。
【００２６】
なお、上述した実施形態では、電力線１を介してオーディオ信号の送受信を行う場合について説明したが、これに限定されるものではない。例えば、本実施形態によるデータ通信システム１０を使用して、ビジュアルデータなどの送受信を行うことにより、前述したオーディオ信号の場合と同様に、ビジュアルデータに記録されている映像等を途切れることなく再生することも可能である。
【００２７】
なお、以上説明した実施形態において、図３のオーディオ信号出力部２１、Ａ／Ｄコンバータ２２、基準発振器２３、オーディオ信号送信部２４、図１のオーディオ信号受信部３１、データバッファ３２、データ量監視部３３、電圧基準発振器３４、Ｄ／Ａコンバータ３５、オーディオ信号再生部３６は、専用のハードウェアにより実現されるものであってもよい。
【００２８】
また、図３のオーディオ信号出力部２１、Ａ／Ｄコンバータ２２、基準発振器２３、オーディオ信号送信部２４、図１のオーディオ信号受信部３１、データバッファ３２、データ量監視部３３、電圧基準発振器３４、Ｄ／Ａコンバータ３５、オーディオ信号再生部３６は、メモリおよびＣＰＵ（中央演算装置）により構成され、これらの機能を実現するためのプログラムをメモリにロードして実行することによりその機能を実現させるものであってもよい。
【００２９】
また、図３のオーディオ信号出力部２１、Ａ／Ｄコンバータ２２、基準発振器２３、オーディオ信号送信部２４、図１のオーディオ信号受信部３１、データバッファ３２、データ量監視部３３、電圧基準発振器３４、Ｄ／Ａコンバータ３５、オーディオ信号再生部３６の機能を実現するためのプログラムをコンピュータ読み取り可能な記録媒体に記録して、この記録媒体に記録されたプログラムをコンピュータシステムに読み込ませ、実行することによりオーディオ信号やビジュアルデータの遅延補償を行ってもよい。なお、ここでいう「コンピュータシステム」とは、ＯＳや周辺機器等のハードウェアを含むものとする。
【００３０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３１】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００３２】
電力線を介してオーディオ信号やビジュアルデータなどの連続的に再生するデータの通信を行う家電機器等に本発明によるデータ遅延補償システムを利用することができる。
【図面の簡単な説明】
【００３３】
【図１】本実施形態によるオーディオ信号再生装置３の構成を示すブロック図である。
【図２】本実施形態によるデータ通信システム１０の構成を示す図である。
【図３】本実施形態によるオーディオ信号送信装置２の構成を示すブロック図である。
【図４】本発明の実施形態によるデータ通信システム１０の処理の流れを示すフローチャートである。
【符号の説明】
【００３４】
１・・・電力線
２・・・オーディオ信号送信装置
３（３ａ、３ｂ）・・・オーディオ信号再生装置
１０・・・データ通信システム
２１・・・オーディオ信号出力部
２２・・・Ａ／Ｄコンバータ
２３・・・基準発振器
２４・・・オーディオ信号送信部
３１・・・オーディオ信号受信部
３２・・・データバッファ
３３・・・データ量監視部
３４・・・電圧制御発振器
３５・・・Ｄ／Ａコンバータ
３６・・・オーディオ信号再生部
【図１】
2006101119.tif 000003
【図２】
2006101119.tif 000004
【図３】
2006101119.tif 000005
【図４】
2006101119.tif 000006